(57)【要約】【課題】ケーシングに対する化粧板の取り付け信頼性を高める。【解決手段】便器は、便器本体１０とケーシング２０と化粧板６０とを備える。化粧板６０の内面には装着部７２が形成され、ケーシング２０の外面には装着部７２と対応して装着受け部３５が形成されている。装着部７２には、撓み可能な弾性係止部７５が突出して形成されているとともに、弾性係止部７５と並んで案内部７４が突出して形成されている。装着受け部３５には、化粧板６０の取り付け時に、弾性係止部７５に弾性的に係止される係止受け部３７が形成されているとともに、係止受け部３７と並んで案内部７４が適合して嵌る案内受け部４１が形成されている。この場合に、案内部７４の突端は、弾性係止部７５の突端よりも突出した位置に配されている。【選択図】図１１
2010190021.tif 000002
【特許請求の範囲】
【請求項１】
便器本体と、この便器本体の後部に取り付けられ、機能部を収容可能なケーシングと、前記ケーシングに外側から取り付けられ、後部側面を覆うように配される化粧板とを備え、前記化粧板の内面には装着部が形成され、前記ケーシングの外面には前記装着部と対応して装着受け部が形成されている便器であって、
前記装着部と前記装着受け部のいずれか一方には、撓み可能な弾性係止部が突出して形成されているとともに、前記弾性係止部と並んで案内部が突出して形成されており、
他方には、前記化粧板の前記ケーシングへの取り付け時に、前記弾性係止部に弾性的に係止される係止受け部が形成されているとともに、前記案内部が適合して嵌る案内受け部が形成されており、
前記案内部の突端は、前記弾性係止部の突端よりも突出した位置に配されていることを特徴とする便器。
【請求項２】
前記化粧板は、前記ケーシングに対して一端側を支点として回動され、その回動完了位置にて前記弾性係止部が前記係止受け部を弾性的に係止するものであって、前記装着部と前記装着受け部との間の取り付け誤差を吸収する誤差吸収手段を有していることを特徴とする請求項１記載の便器。
【請求項３】
前記弾性係止部は、対をなす係止片を有し、両係止片は、その先端部間の開口を通して内側に前記係止受け部を導入し、導入された前記係止受け部を弾性的に挟持するようになっており、
前記両係止片の先端部には、先端に向けて拡開する誘い込み部が形成されていることを特徴とする請求項２記載の便器。
【請求項４】
前記装着部と前記装着受け部の少なくともいずれか一方は、相手側から取り外し可能な別体の部材とされ、前記相手側への取り付け状態において上下方向及び幅方向への遊動が許容されていることを特徴とする請求項２又は３記載の便器。
【請求項５】
前記弾性係止部は、前記化粧板に形成されるものであって対をなす係止片を有し、両係止片は、その先端部間の開口を通して内側に前記係止受け部を導入し、導入された前記係止受け部を弾性的に挟持するようになっており、
前記両係止片の開口方向は、前記両係止片が前記係止受け部との係止動作を開始する直前に前記係止受け部と適正に向き合うよう、前記化粧板の基準面と直角な面に対して傾斜する方向に設定されていることを特徴とする請求項２ないし４のいずれか１項記載の便器。
【請求項６】
前記装着部は、前記化粧板から取り外し可能な別体の部材とされ、前記両係止片の開口方向を誤った状態で前記化粧板に取り付けられるのを規制する逆装防止構造を有していることを特徴とする請求項５記載の便器。
【請求項７】
前記案内部には逆装防止部が形成され、前記化粧板には逆装防止受け部が形成されており、前記装着部が前記化粧板に対して正規の取り付け姿勢をとる場合には、前記逆装防止部と前記逆装防止受け部とが互いに凹凸嵌合してその取り付け動作が許容される一方、前記装着部が前記化粧板に対して不正な取り付け姿勢をとる場合には、前記逆装防止部と前記逆装防止受け部とが互いに非対応の位置に配されてその取り付け動作が規制されることを特徴とする請求項６記載の便器。
【請求項８】
前記弾性係止部は、対をなす係止片を有し、両係止片は、その先端部間の開口を通して内側に前記係止受け部を導入し、導入された前記係止受け部を弾性的に挟持するようになっており、
前記係止受け部の外周面は、前記両係止片の先端部が係止動作の過程で摺動する摺動面を有し、この摺動面に前記両係止片が摺動することで、前記両係止片の先端部間が拡開するようになっており、
前記摺動面は、前記両係止片の先端部が進入する側に向けて細く突出する形状をなしていることを特徴とする請求項２ないし７のいずれか１項記載の便器。
【請求項９】
前記弾性係止部は、前記案内部を挟んだ両側に配されていることを特徴とする請求項１ないし８のいずれか１項記載の便器。 
【発明の詳細な説明】
【技術分野】
【０００１】
本発明は、便器に関する。
【背景技術】
【０００２】
特許文献１には、便器本体の後部に、機能部を収容可能なケーシングが取り付けられているとともに、このケーシングの外側に、後部側面を覆うように化粧板が取り付けられた便器が開示されている。化粧板の内面には、断面Ｃ字状の弾性係止部を有する装着部が突出して形成され、ケーシングの外面には、装着部と対応する位置に、円柱状の係止受け部を有する装着受け部が形成されている。また、化粧板の内面には、装着部よりも下方に、爪状片が形成され、ケーシングの外面には、爪状片が上方から嵌る係合溝が形成されている。
【０００３】
ケーシングに化粧板を取り付ける際には、係合溝に爪状片を引掛けた状態で、化粧板を便器本体側に押し付けるようにする。すると、弾性係止部が係止受け部の外周面を摺動して拡開したあと係止受け部を弾性的に抱持し、もってケーシングに化粧板が取り付けられるようになっている。
【先行技術文献】
【特許文献】
【０００４】
【特許文献１】特開２００５−２１３８６０（第５図）
【発明の概要】
【発明が解決しようとする課題】
【０００５】
ところで、上記従来の便器では、化粧板の取り付け誤差等に起因し、装着部が不正な姿勢をとったまま装着受け部との係止動作を開始することがあった。そうすると、弾性係止部が過剰に拡開変形して折損・破損するおそれがあり、また弾性係止部が折損等しないまでも、化粧板がケーシングに対して正規の取り付け位置からずれた状態で取り付けられるおそれがあった。
【０００６】
本発明は上記のような事情に基づいて完成されたものであって、ケーシングに対する化粧板の取り付け信頼性を高めることを目的とする。
【課題を解決するための手段】
【０００７】
上記の目的を達成するための手段として、請求項１の発明は、便器本体と、この便器本体の後部に取り付けられ、機能部を収容可能なケーシングと、前記ケーシングに外側から取り付けられ、後部側面を覆うように配される化粧板とを備え、前記化粧板の内面には装着部が形成され、前記ケーシングの外面には前記装着部と対応して装着受け部が形成されている便器であって、
前記装着部と前記装着受け部のいずれか一方には、撓み可能な弾性係止部が突出して形成されているとともに、前記弾性係止部と並んで案内部が突出して形成されており、
他方には、前記化粧板の前記ケーシングへの取り付け時に、前記弾性係止部に弾性的に係止される係止受け部が形成されているとともに、前記案内部が適合して嵌る案内受け部が形成されており、
前記案内部の突端は、前記弾性係止部の突端よりも突出した位置に配されているところに特徴を有する。
【０００８】
本発明の便器によれば、案内部の突端が弾性係止部の突端よりも突出した位置に配されているから、ケーシングに化粧板を取り付ける際に取り付け誤差があったとしても、まず案内部が案内受け部に適合して嵌ることで装着部の取り付け姿勢が矯正され、その状態で弾性係止部が弾性受け部を正確に係止することになる。したがって、ケーシングに化粧板が位置ずれすることなく取り付けられ、ケーシングに対する化粧板の取り付け信頼性が高められる。
【０００９】
また、外部からの異物が案内部の突端に当接しても弾性係止部の突端には非当接とされ得るため、弾性係止部が異物との干渉によって破損するのを回避できる。
【００１０】
この場合、化粧板は、ケーシングに対して一端側を支点として回動され、その回動完了位置にて弾性係止部が係止受け部を弾性的に係止するものであって、装着部と装着受け部との間の取り付け誤差を吸収する誤差吸収手段を有していることが好ましい。
【００１１】
このように、化粧板がその一端側を支点に回動されてケーシングに取り付けられる場合には、装着部と装着受け部との係止方向を化粧板の回動方向である円弧に沿わせることが求められ、装着部と装着受け部との間で取り付け誤差が生じやすいという事情がある。その点、本発明によれば、誤差吸収手段によって装着部と装着受け部との取り付け誤差が吸収されるため、装着部と装着受け部との係止位置のずれが防止される。
【００１２】
また、弾性係止部は、対をなす係止片を有し、両係止片は、その先端部間の開口を通して内側に係止受け部を導入し、導入された前記係止受け部を弾性的に挟持するようになっており、両係止片の先端部には、先端に向けて拡開する誘い込み部が形成されていることが好ましい。
【００１３】
こうすると、誘い込み部によって係止受け部が両係止片に誘い込まれて挟持されるから、装着部と装着受け部との取り付け誤差が吸収される。
【００１４】
また、装着部と装着受け部の少なくともいずれか一方は、相手側から取り外し可能な別体の部材とされ、相手側への取り付け状態において上下方向及び幅方向への遊動が許容されていることが好ましい。
【００１５】
これによれば、装着部と装着受け部との取り付け誤差が相手側（化粧板・ケーシング）に対する別体の部材の上下方向及び幅方向への遊動によって吸収される。この場合、別体の部材と相手側とを別々に成形できるため、別体の部材が複雑な形状であってもそれに対応することができる。
【００１６】
また、弾性係止部は、化粧板に形成されるものであって対をなす係止片を有し、両係止片は、その先端部間の開口を通して内側に係止受け部を導入し、導入された係止受け部を弾性的に挟持するようになっており、両係止片の開口方向は、前記両係止片が係止受け部との係止動作を開始する直前に係止受け部と適正に向き合うよう、化粧板の基準面と直角な面に対して傾斜する方向に設定されていることが好ましい。
【００１７】
これにより、両係止片と係止受け部とが係止動作を開始する直前に適正に向き合うから、両係止片が係止受け部との係止動作によって過大な応力を受けるのを回避でき、ひいては両係止片が折損・破損するのを回避できる。なお、化粧板の基準面とは、化粧板の内面のうち弾性係止部に対応する部分のことをいう。
【００１８】
この場合、装着部は、化粧板から取り外し可能な別体の部材とされ、両係止片の開口方向を誤った状態で化粧板に取り付けられるのを規制する逆装防止構造を有していることが好ましい。
【００１９】
これによれば、装着部が化粧板から取り外し可能な別体の部材であっても、逆装防止構造によって両係止片の開口方向を誤ることはないから、装着部を化粧板に正しく取り付けることができる。
【００２０】
ここで、案内部には逆装防止部が形成され、化粧板には逆装防止受け部が形成されており、装着部が化粧板に対して正規の取り付け姿勢をとる場合には、逆装防止部と逆装防止受け部とが互いに凹凸嵌合してその取り付け動作が許容される一方、装着部が化粧板に対して不正な取り付け姿勢をとる場合には、逆装防止部と逆装防止受け部とが互いに非対応の位置に配されてその取り付け動作が規制されることが好ましい。
【００２１】
このような構成であれば、装着部の化粧板への取り付けの可否によって装着部の状態を正確に知ることができる。しかも、案内部が逆装防止機能と案内機能の両機能を兼備しているから、両機能が別々の部分で構成される場合と違って、装着部全体をコンパクトにできる。
【００２２】
また、この便器によれば、弾性係止部は、対をなす係止片を有し、両係止片は、その先端部間の開口を通して内側に係止受け部を導入し、導入された係止受け部を弾性的に挟持するようになっており、係止受け部の外周面は、両係止片の先端部が係止動作の過程で摺動する摺動面を有し、この摺動面に両係止片が摺動することで、両係止片の先端部間が拡開するようになっており、摺動面は、両係止片の先端部が進入する側に向けて細く突出する形状をなしていることが好ましい。
【００２３】
こうすると、両係止片が摺動面を摺動したときに、両係止片の先端部間の拡開量が急激に大きくなることがないから、両係止片と係止受け部との間に取り付け誤差があっても、両係止片が係止受け部から過大な応力を受けるのを回避でき、ひいては両係止片が折損・破損するのを回避できる。
【００２４】
また、この便器によれば、弾性係止部は、案内部を挟んだ両側に配されていることが好ましい。
【００２５】
このように、弾性係止部が複数箇所に設置されることにより、弾性係止部の係止受け部への係止強度が高められる。しかも、この構成によれば、各弾性係止部と案内部との間の距離を小さくできるので、案内部が案内受け部に適合して嵌るときに、取り付け誤差等に起因して弾性係止部と係止受け部との係止位置がずれるのを未然に防止できる。
【図面の簡単な説明】
【００２６】
【図１】実施例１に係る便器の斜視図である。
【図２】化粧板が装着される前の便器の側面図である。
【図３】化粧板の外側から見た側面図である。
【図４】化粧板の一部破断正面図である。
【図５】化粧板の内側から見た側面図である。
【図６】受け孔内に挿入される前の突片部の側面図である。
【図７】受け孔内に挿入されて抜け止めされた突片部の正面から見た側面図である。
【図８】先端側が受け孔内に挿入された突片部の正面から見た断面図である。
【図９】回動開始位置において受け孔内に挿入された突片部の正面から見た断面図である。
【図１０】回動完了位置において受け孔内に挿入された突片部の正面から見た断面図である。
【図１１】回動開始位置において係止受け部を係止する前の弾性係止部の正面から見た正面図である。
【図１２】係止受け部に当接した弾性係止部の正面図である。
【図１３】回動完了位置において係止受け部を係止した弾性係止部の正面図である。
【図１４】化粧板に取り付けられた装着部の下方から見た断面図である。
【図１５】化粧板に取り付けられる過程の装着部の側方から見た断面図である。
【図１６】化粧板に取り付けられる直前の装着部の側方から見た断面図である。
【図１７】化粧板に取り付けられた装着部の側方から見た断面図である。
【図１８】実施例２に係る便器において、装着部及び装着受け部の正面から見た断面図である。
【発明を実施するための形態】
【００２７】
以下、本発明を具体化した実施例を図面を参照しつつ説明する。
【実施例１】
【００２８】
実施例１の便器は、水洗式便器である便器本体１０と、便器本体１０の後部に取り付け固定され、機能部を収容するケーシング２０と、ケーシング２０に取り付け固定され、便器本体１０の後部両側面を覆うように配される化粧板６０とを備えている。便器本体１０は便鉢１１を有している。
【００２９】
機能部は、図示はしないが、局部洗浄装置、温風乾燥装置、脱臭装置、便器洗浄装置、便座・便蓋開閉装置、人体検知装置及びこれらを制御する制御装置等によって構成されている。
【００３０】
ケーシング２０は合成樹脂製であって、図１及び図２に示すように、カバー本体２１、ベースプレート２２及び下カバー２３によって構成され、その外面には、側方から化粧板６０が被せ付けられる。
【００３１】
ベースプレート２２は、便器本体１０の後部上面にボルト締め等して固定されている。そして、ベースプレート２２には、上記の各種装置からなる機能部が設置され、機能部を覆うようにして上方からカバー本体２１は被せ付けられる。カバー本体２１には、便座１５及び便蓋１６が開閉可能に取り付けられている。
【００３２】
また、ベースプレート２２の後部には、ファンモータ等の収容空間を画成する立板部２４が立ち上げ形成されている。立板部２４は、上下方向に開放された形状をなし、左右の側板２５、背板２６及び前板２７によって構成されている。側板２５の内面には、図６に示すように、互いに一定間隔をあけて上下方向に延びる前後の第１リブ２８と、両第１リブ２８間のほぼ中央に位置して両第１リブ２８とほぼ平行に配される第２リブ２９とが形成されている。また、側板２５の内部には、第１、第２リブ２８、２９の内端同士を連ねるとともに側板２５の内面とほぼ平行に配される架橋板３０が形成されている。
【００３３】
第１、第２リブ２８、２９、架橋板３０及び側板２５によって取り囲まれる内側には、後述する突片部６３が下方から挿入される受け孔３１が構成されている。受け孔３１の下端部には、下方に向けて拡開する拡開部３２が形成され、この拡開部３２によって突片部６３の受け孔３１内への誘い込みがなされる。拡開部３２の一部は架橋板３０で構成され、図８に示すように、架橋板３０はその上端から下端にかけて側板２５から離れるようにやや傾倒して配されている。
【００３４】
第１リブ２８には、受け孔３１内に挿入された突片部６３を係止可能な掛止部３３が形成されている。図６に示すように、前側の掛止部３３は、前側の第１リブ２８の後端縁を段付き状に切り欠いて形成され、後側の掛止部３３は、後側の第１リブ２８の上端面に形成されている。
【００３５】
そして、ベースプレート２２の下端部には、受け孔３１を挟んだ前後両側に、一対の垂下部３４が下方へ突出して形成されている。両垂下部３４には、化粧板６０の上端部が外側から当接可能とされている。また、ベースプレート２２の下方には洗浄水の水圧を増すための図示しないブースターが設置され、下カバー２３はこのブースターの周りを取り囲みつつベースプレート２２の後部に垂下して取り付けられている。
【００３６】
下カバー２３の左右の側外面には、図２に示すように、後述する装着部７２を受ける装着受け部３５が形成されている。装着受け部３５は、図１１に示すように、下カバー２３の側外面の下端部から外側に突出するとともに前後方向に延びる板状の延出部３６と、延出部３６の突端に沿って前後方向に延びるとともに中空環状に膨出される係止受け部３７とからなる。
【００３７】
係止受け部３７の外周面のうち、内側の半円部分は、真円弧状の円弧面部３８とされ、外側の半円部分は、後述する弾性係止部７５が進入する側である前方へ向けて次第に細くなりながら突出する略山型の凸曲面部３９とされている。凸曲面部３９は、弾性係止部７５の先端部が摺動可能な摺動面とされている。
【００３８】
係止受け部３７の上方及び両側方は門型枠状の庇部４０によって覆われ、延出部３６及び係止受け部３７の前後両端は庇部４０の両側壁に一体に連結されている。また、図２に示すように、係止受け部３７の前後方向略中央部には、後述する案内部７４を嵌合可能な案内受け部４１が切り欠き形成されており、延出部３６及び係止受け部３７は、案内受け部４１を挟んだ前後両側に分断して配されている。
【００３９】
続いて化粧板６０について説明すると、化粧板６０は、下カバー２３を外側から覆うようにしてケーシング２０に取り付けられ、上端部がベースプレート２２の下端部に位置決めされて下端部が下カバー２３から離間して配される回動初期位置と、上端部の位置決め状態が保たれつつ下端部が下カバー２３に近接して配される回動完了位置とに、上端部を支点として回動可能とされている。
【００４０】
図１に示すように、回動完了位置では、その前端縁が便器本体１０の後端縁に全長に亘ってほぼ隙間なく接するとともに、その上端縁がベースプレート２２の下端縁に全長に亘ってほぼ隙間なく接するようになっている。図３及び図４に示すように、化粧板６０は、便器本体１０の側外面と対応して湾曲状に沿った形状をなし、化粧板６０の前端縁は上端へ向けて次第に前方へ突出するようなオーバーハング状をなし、化粧板６０の上端縁はベースプレート２２の下端縁に沿ってほぼ水平に延びる形状をなしている。化粧板６０の後部上端側には、図２に示すように、ケーシング２０に設置されたスピーカー９０と対応する位置に、多数の横長スリット孔６１が上下方向及び前後方向に形成されている。
【００４１】
また、化粧板６０の後部上端縁には、図４に示すように、ケーシング２０への取り付け時にベースプレート２２の下端縁に当接されるステージ部６２が内側に突出して形成され、ステージ部６２の上面には、突片部６３が上方へ突出して形成されている。
【００４２】
突片部６３は、図８に示すように、根元側にあってステージ部６２の上面から立ち上がる第２片部６４と、先端側にあって第２片部６４とは異なる起立角度で立ち上がる第１片部６５と、第１、第２片部６４、６５間にあって両者を連結する屈曲部６６とによって構成されている。
【００４３】
突片部６３の略中央には、図６に示すように、第１片部６５の略全長に亘って延びるとともに上端に開口する受け溝６７が形成されており、ケーシング２０への取り付け時に、受け溝６７内に第２リブ２９が嵌合するようになっている。第２片部６４の外側面には、上下方向に延びる一対の補強リブ６８が前後に間隔をあけて形成されている。
【００４４】
また、突片部６３の両端側には、第１片部６５の略全長に亘って延びるとともに上端に開口する一対のスリット溝６９が形成され、両スリット溝６９の外側に、一対の弾性片７０が形成されている。弾性片７０の先端部には、係止爪７１が外側に突出して形成されている。受け孔３１内への挿入過程では、係止爪７１が第１リブ２８を摺動して弾性片７０がスリット溝６９内に撓み変形され、突片部６３が受け孔３１内に正規挿入されるに伴い、弾性片７０が弾性復帰して係止爪７１が掛止部３３を引掛け状態で係止し、もって突片部６３の受け孔３１からの抜け出しが規制されるようになっている。
【００４５】
また、第２片部６４は、化粧板６０の上端縁に対して９０度以下の所定の起立角度で内側へ傾斜して配され、第１片部６５は、化粧板６０の上端縁に対して９０度以下ではあるが第２片部６４よりも大きい起立角度で内側へ傾斜して配されている。したがって、回動初期位置から回動完了位置にかけて、下カバー２３に対する化粧板６０の開き角度を第１、第２片部６４、６５の各起立角度に会うように徐々に小さくすることにより、受け孔３１内に突片部６３を無理なく差し込むことが可能となっている。
【００４６】
さて、化粧板６０の内面には、回動完了位置にて装着受け部３５を係止する装着部７２が形成されている。装着部７２は、突片部６３よりも下方にあって、化粧板６０の内面における上下方向略中央部でかつ後端寄りの位置に配されている。
【００４７】
そして、装着部７２は、化粧板６０から取り外し可能であって化粧板６０とは別体の部材とされ、化粧板６０がＰＰ樹脂（ポリプロピレン樹脂）で構成されているのに対し、装着部７２はＰＰ樹脂よりも軟質のナイロン樹脂で構成されている。詳しくは、装着部７２は、図５に示すように、前後方向に細長い矩形状の支持板７３と、支持板７３の略中央部から内側へ突出する案内部７４と、案内部７４を挟んだ両側であって支持板７３の両端側から内側へ突出する一対の弾性係止部７５とを有している。支持板７３は、図１１に示すように、化粧板６０への取り付け時に、対向する化粧板６０の内面と略平行に配される板面を有している。この対向する化粧板６０の内面は、化粧板６０の基準面７６に相当するものである。
【００４８】
案内部７４は、支持板７３の全高に亘る大きさの四角筒状をなし、図１４に示すように、その突端が閉止端とされている一方、その基端が支持板７３を貫通する開口端とされている。化粧板６０が回動完了位置に至ると、案内部７４は、案内受け部４１に適合して嵌合され、幅方向への遊動を規制された状態に位置決めされるようになっている。案内部７４の上壁には、内外方向に延びて支持板７３の外面に開口するスリット７７が形成されている。
【００４９】
弾性係止部７５は、図１１に示すように、前後方向に延びるとともに支持板７３の内面から突出する上下一対の係止片７８を有し、両係止片７８の先端部間が開放された断面略Ｃ字形をなしている。回動完了位置に至る過程では、両係止片７８の先端部間から内側に係止受け部３７が導入され、それに伴って両係止片７８の先端が係止受け部３７の凸曲面部３９を摺動して弾性的に拡開変形される。その後、回動完了位置に至ると、両係止片７８の先端側が係止受け部３７の円弧面部３８側に廻り込むとともに、両係止片７８が係止受け部３７を外側から弾性的に抱持し、もって装着部７２が装着受け部３５を係止するようになっている。
【００５０】
両係止片７８の先端部には、先端へ行くにしたがって外側に拡開する誘い込み部７９が形成されている。この誘い込み部７９は、化粧板６０の回動動作に起因する装着部７２と装着受け部３５との取り付け誤差を吸収し、弾性係止部７５内に係止受け部３７を確実に導入する役割を果たす。
【００５１】
そして、誘い込み部７９の先端、つまり弾性係止部７５の突端は、案内部７４の突端よりも化粧板６０側へ引っ込んだ位置に配され、言い換えれば、案内部７４の突端は、弾性係止部７５の突端よりも化粧板６０側から離れるように突出した位置に配されている。したがって、弾性係止部７５が係止受け部３７との係止動作を開始するのに先立って、案内部７４が案内受け部４１に適合して嵌合されるようになっている。
【００５２】
また、弾性係止部７５は、支持板７３の内面に対してやや下向きの姿勢で接続されており、両係止片７８の先端部間の開口方向は、化粧板６０の基準面７６と直角な面Ｓに対してやや斜め下方を向くように設定されている。これにより、弾性係止部７５と係止受け部３７とが係止動作を開始する直前に、弾性係止部７５が係止受け部３７に対して正規の係止姿勢で向き合うことが可能となり、両係止片７８が係止受け部３７から過大な応力を受けるのを回避でき、ひいては両係止片７８が折損・破損するのを回避できるようになっている。なお、案内部７４の突出方向は、化粧板６０の基準面７６と直角な面Ｓに対して平行な方向に向けられている。
【００５３】
化粧板６０の内面には、図５に示すように、装着部７２を受ける取付受け部８０が一体に形成されている。取付受け部８０は、支持板７３の両側縁部が摺接可能に嵌合される一対のレール部８１と、両レール部８１間の両側に位置して両レール部８１に連結される板片状の一対の第１突状部８２と、両レール部８１間のほぼ中央に位置する板片状の第２突状部８３とを有している。装着部７２は、図１５に示すように、取付受け部８０に下方からスライドして取り付けられ、その取り付け過程では、図１６に示すように、支持板７３の中央部が第１突状部８２に弾性的に乗り上げられつつ支持板７３の両側縁部がレール部８１内を摺動する一方、正規に取り付けられるに伴い、図１７に示すように、支持板７３が下側規制部を乗り越えて取付受け部８０内にスナップ嵌合されるようになっている。この取り付け状態では、取付受け部８０内における装着部７２の上下方向及び幅方向への遊動が許容されており、これにより、装着部７２と装着受け部３５との間の取り付け誤差が吸収されて、弾性係止部７５に過剰な応力が発生しないようになっている。
【００５４】
また、装着部７２の取付受け部８０への取り付け状態では、レール部８１の上端閉止面に支持板７３の両端上縁部が当接して、装着部７２の上方への抜けが規制されるとともに、第１突状部８２に支持板７３の両側下縁部が当接して、装着部７２の下方への抜けが規制され、かつスリット７７内に第２突状部８３が凹凸状に嵌合するようになっている。
【００５５】
ところで、上述した両係止片７８の開口方向の傾斜に起因して、装着部７２には上下方向の構造識別性を有することが求められる。その点、上記の構成によれば、スリット７７内に第２突状部８３が嵌れば、装着部７２の化粧板６０への取り付けが許容される一方、スリット７７内に第２突状部８３が嵌らなければ、装着部７２の化粧板６０への取り付けが規制されるため、化粧板６０に対して装着部７２が上下反転して誤組み付けされる事態を確実に回避できる。
【００５６】
次に、化粧板６０のケーシング２０への取り付け方法について説明する。
まず、ベースプレート２２の下端部に下方から化粧板６０の上端部を押し当てるようにして、受け孔３１内に突片部６３の先端側を差し込む。すると、図８に示すように、第１片部６５が拡開部３２を通して受け孔３１内に進入するとともに、第１片部６５の先端が架橋板３０を摺動し、それに伴って化粧板６０の下端部が下カバー２３側に徐々に近づいて行く。図７及び図９に示すように、第１片部６５の略全体が受け孔３１内に進入すると、突片部６３の係止爪７１が掛止部３３を弾性的に係止して化粧板６０の下方への抜けが規制されるとともに、弾性片７０の両端側縁が第１リブ２８に当接して化粧板６０の幅方向への遊動が規制され、かつ、受け溝６７の奥端に第２リブ２９の下端が当接して化粧板６０の上方への押し込みが規制される。これにより、化粧板６０の上端部は回動初期位置に位置決めされる。
【００５７】
上記の状態で、化粧板６０をその上端部を支点として下カバー２３側に向けて回動する。化粧板６０が回動完了位置に至ると、図１０に示すように、第１片部６５が略垂直に起立した状態となり、第１片部６５の外面が側板２５の内面に当接して化粧板６０の外側への遊動が規制されるとともに、ステージ部６２の突端が垂下部３４に当接して化粧板６０の内側への遊動が規制される。
【００５８】
また、図１１に示すように、化粧板６０が回動完了位置に至る手前で、化粧板６０の基準面７６がやや上向きの状態になると、弾性係止部７５と係止受け部３７とが互いに正対して、両係止片７８の誘い込み部７９が凸曲面部３９の上下両面に臨むように配される。さらに回動が進むと、図１２に示すように、両係止片７８の先端部が凸曲面部３９の上下両面を摺動し、それに伴って両係止片７８が拡開変形する。このとき、両係止片７８の先端部が先端尖がり気味の凸曲面部３９を摺動するため、誘い込み部７９が真円弧の曲面を摺動する場合と違って、両係止片７８の拡開量が急激に大きくなることがなく、化粧板６０が回動されるという事情があっても、両係止片７８が係止受け部３７から過大な応力を受けるのを回避でき、ひいては両係止片７８が折損・破損するのを回避できる。
【００５９】
その後、化粧板６０が回動完了位置に至ると、図１３に示すように、両係止片７８の奥端に係止受け部３７の先端が当接するとともに両係止片７８が係止受け部３７を上下方向から弾性的に挟持して、化粧板６０がケーシング２０に取り付け固定される。この場合、弾性係止部７５が案内部７４を挟んだ２箇所に設定されているから、弾性係止部７５が１箇所のみに設定されるよりも係止強度が高められる。また、案内部７４の片側に両弾性係止部７５が順次並んで配されるよりも、両弾性係止部７５のそれぞれと案内部７４との間の距離を小さくできるため、取り付け誤差等に起因する弾性係止部７５と係止受け部３７との間の位置ずれを未然に防止できる。
【００６０】
化粧板６０が回動完了位置に至る手前で、かつ弾性係止部７５と係止受け部３７とが互いの係止動作を開始する前に、案内部７４が案内受け部４１内に適合して、装着部７２の幅方向への遊動が規制されるとともに、弾性係止部７５と係止受け部３７との位置関係が適正に調整される。このため、弾性係止部７５と係止受け部３７とが係止動作を開始するときには、弾性係止部７５が係止受け部３７と正対可能な適正位置に至らされ、両者の係止動作が正確に行われる結果、化粧板６０がケーシング２０に位置ずれすることなく取り付けられる。したがって、ケーシング２０に対する化粧板６０の取り付け信頼性が高められる。
【実施例２】
【００６１】
図１８は、本発明の実施例２を示す。実施例２では、装着部７２Ａ及び装着受け部３５Ａの各形状が実施例１とは異なっている。その他は、実施例１と同様であり、実施例１と同様の構造には同一符合を付し、重複する説明は省略する。
【００６２】
装着受け部３５Ａは、下カバー２３を板厚方向に貫通する案内受け部４１Ａと、案内受け部４１Ａを挟んだ両側に配されて同じく下カバー２３を板厚方向に貫通する係止受け部３７Ａとからなる。
【００６３】
装着部７２Ａは、弾性係止部７５Ａの形状のみが実施例１とは異なっている。すなわち、弾性係止部７５Ａは、支持板７３の内面から突出する柱状をなし、その軸心部には全長に亘って延びる割り溝８５が形成され、割り溝８５を挟んだ両側に、対をなす弾性係止片８６が直立して形成されている。弾性係止片８６の先端外周部には突条８７が周方向に張り出して形成されている。
【００６４】
化粧板６０が回動完了位置に至る過程では、案内部７４が案内受け部４１Ａ内に適合することで、装着部７２Ａの遊動が規制され、弾性係止部７５Ａと係止受け部３７Ａとの位置関係が適正な位置に調整される。化粧板６０が回動完了位置に至ると、弾性係止部７５Ａが係止受け部３７Ａ内に挿入され、弾性係止部７５Ａの突条８７が下カバー２３の裏面側に回り込んで係止受け部３７Ａの裏面側の開口縁を弾性的に係止し、もって化粧板６０がケーシング２０に正しく取り付けられる。実施例２によれば、装着部７２Ａと装着受け部３５Ａの両形状が簡素化される。
【００６５】
＜他の実施例＞
本発明は上記記述及び図面によって説明した実施例に限定されるものではなく、例えば次のような実施例も本発明の技術的範囲に含まれる。
（１）実施例１、２とは逆に、係止受け部及び案内受け部が化粧板側の装着部に形成され、弾性係止部及び案内部がケーシング側の装着受け部に形成されるものであってもよい。
（２）化粧板は、その下端部を支点として回動されてケーシングに取り付けられるものであってもよい。あるいは、化粧板は、ケーシングの外面に外側から被せ付けられるものであってもよい。
（３）装着部が化粧板に一体に形成され、装着受け部がケーシングから取り外し可能な別体の部材とされてもよい。あるいは、装着部と装着受け部のいずれもが相手側（化粧板・ケーシング）から取り外し可能であってもよい。また、この場合に、別体の部材は、相手側に対して遊動規制状態に取り付けられるものであってもよい。
【符号の説明】
【００６６】
１０…便器本体
２０…ケーシング
３５、３５Ａ…装着受け部
３７、３７Ａ…係止受け部
３９…凸曲面部（摺動面）
４１、４１Ａ…案内受け部
６０…化粧板
７２、７２Ａ…装着部
７４…案内部
７５、７５Ａ…弾性係止部
７６…基準面
７７…スリット（逆装防止部）
７８…係止片
７９…誘い込み部
８３…第２突状部（逆装防止受け部）
【図１】
2010190021.tif 000003
【図２】
2010190021.tif 000004
【図３】
2010190021.tif 000005
【図４】
2010190021.tif 000006
【図５】
2010190021.tif 000007
【図６】
2010190021.tif 000008
【図７】
2010190021.tif 000009
【図８】
2010190021.tif 000010
【図９】
2010190021.tif 000011
【図１０】
2010190021.tif 000012
【図１１】
2010190021.tif 000013
【図１２】
2010190021.tif 000014
【図１３】
2010190021.tif 000015
【図１４】
2010190021.tif 000016
【図１５】
2010190021.tif 000017
【図１６】
2010190021.tif 000018
【図１７】
2010190021.tif 000019
【図１８】
2010190021.tif 000020